(57)【要約】      （修正有）【課題】求人者側が、求職者側の課題解決能力の優劣を評価しながら、匿名で求人活動が行える求人求職マッチングシステムを提供する。【解決手段】求人者端末ａは課題解決能力判定用問題と課題カテゴリーを求人求職マッチングサーバｃに送信する。求人求職マッチングサーバｃは課題解決能力判定用問題と課題カテゴリーを記録部１に記録する。求職者端末は、求職者が解決を試みたい課題カテゴリーを求人求職マッチングサーバｃに送信する。求人求職マッチングサーバｃは、求職者端末ｂに、該当の課題カテゴリーに属する、課題解決能力判定用問題を送信する。求職者端末ｂは、課題解決能力判定用問題に対する解答、希望条項等を求人求職マッチングサーバｃに送信する。求人求職マッチングサーバｃは課題解決能力判定用問題に対する解答と希望条項等を記録部に記録する。求人者端末ａは、該解答と希望条項等をもとに、求人・採用選考活動を行うことができる。【選択図】図１
2012069047.tif 000002
【特許請求の範囲】
【請求項１】
（ａ）求人者が利用する求人者端末と、（ｂ）求職者が利用する求職者端末と、（ｃ）前記求人者端末および前記求職者端末のそれぞれと通信可能に設けられた求人求職マッチングサーバと、を備えた求人求職マッチングシステムがあって、
前記求人者端末は、
（ａ１）求人者が課題解決能力を評価するための課題解決能力判定用問題と、課題カテゴリーを入力する課題情報入力手段と、
（ａ２）求人者が入力した課題解決能力判定用問題と課題カテゴリーを求人求職マッチングサーバに送信する課題情報送信手段と、
（ａ３）求人者が入力した課題解決能力判定用問題に対して解答された、求職者からの課題解答情報と求人者に対する希望条項を受信し、その内容を閲覧可能にする課題解答閲覧手段と、を備え、
前記求職者端末は、
（ｂ１）求職者が課題カテゴリーを入力する課題カテゴリー入力手段と、
（ｂ２）求職者が入力した課題カテゴリーを求人求職マッチングサーバに送信す課題カテゴリー送信手段と、
（ｂ３）求職者が入力した課題カテゴリーに属する、課題解決判定用問題を受信し、その内容を閲覧可能にする課題情報閲覧手段と、
（ｂ４）求職者が課題解決能力判定用問題に対応する解答と、求人者に対する希望条項を入力する課題解答入力手段と、
（ｂ５）求職者が入力した課題解決能力判定用問題に対応する解答と、求人者に対する希望条項を求人求職マッチングサーバに送信する課題解答送信手段と、を備え
前記求人求職マッチングサーバは、
（ｃ１）求人者端末から受信した課題解決能力判定用問題と課題カテゴリーを記録部に記録する課題情報記録手段と、
（ｃ２）  求職者端末から受信した課題解決能力判定用問題に対応する解答と、求人者に対する希望条項を記録部に記録する課題解答記録手段と、
（ｃ３）求職者端末から受信した課題カテゴリーに属する課題情報を求職者端末に対して、送信する課題一覧送信手段と、
（ｃ４）求人者端末から受信した課題解決能力判定用問題に対応する解答と、求人者に対する希望条項を、求人者端末に対して、送信する解答一覧送信手段と、を備えたことを特徴とする求人求職マッチングシステム。
【請求項２】
求人者が利用する求人者端末と、求職者が利用する求職者端末のそれぞれと通信可能に設けられ、求人求職マッチングシステムを構成するための求人求職マッチングサーバーであって、
（ｃ１） 求人者端末から受信した課題解決能力判定用問題と課題カテゴリーを記録部に記録する課題情報記録手段と、
（ｃ２） 求職者端末から受信した課題解決能力判定用問題に対応する解答と、求人者に対する希望条項を記録部に記録する課題解答情報記録手段と、
（ｃ３） 求職者端末から受信した課題カテゴリーに属する課題情報を求職者端末に対して、送信する課題一覧送信手段と、
（ｃ４） 求人者端末から受信した課題解決能力判定用問題に対応する解答と、求人者に対する希望条項を、求人者端末に対して、送信する解答一覧送信手段と、を備えたことを特徴とする求人求職マッチングサーバー。
【発明の詳細な説明】
【技術分野】
【０００１】
この発明は、求人を行うユーザの有する求人ユーザ端末と、求職を行うユーザの有する求職ユーザ端末の間において、求人と求職のマッチング処理を行う求人求職マッチングシ
ステムに関する。
【背景技術】
【０００２】
インターネット等の普及に伴い、サーバ側に求人者からの求人情報を記録しておき、サ
ーバにアクセスした求職者が求職条件を入力すると、該当する求人情報を検索して当該求
職者に求人情報を提供し、インターネットを介して応募可能となる求人システムが一般的
に知られている。例えば、求人者が正社員の応募を行う場合には、業種、会社概要、給与
勤務地、勤務時間、仕事内容、選考に関する情報等を求人情報としてサーバに記録させて
おくと、求職者は、任意の条件を入力して所望の求人情報を検索し、その詳細を閲覧・検
討したうえで、求職者の希望に適う求人であると判断した場合に、求職者は、希望する
勤務形態と求職者の情報（氏名、住所、年齢、性別、学歴、職歴、資格等）を入力し、イ
ンターネットを介して、応募することができる。
【発明の概要】
【発明が解決しようとする課題】
【０００３】
上述したような求人システムは、「企業は、日々発生する、種々の問題を解決しながら
業務を遂行する場である」と定義した場合、必ずしも、最も適切な人材をマッチングさせ
るシステムであるとは限らない。
【０００４】
例えば、ある企業が、何らかの原因で、経営危機に瀕しており、その危機を乗り越えられ
る能力を有するであろうと思われる人材であれば、相応の処遇で迎えたいと考えた場合、
上述したような求人システムで、その情報を求職者に伝え、人材を応募することは、非常
に大きなリスクを伴うと考えられ、現実的ではない。
【０００５】
そのような場合、本発明においては、例えば「経営課題に関するカテゴリー」といった、
新たなカテゴリーを作成して、匿名をもって、経営危機に至った経緯を紹介し、その解決
策を「課題解決能力判定用問題」といった形で、求職者にインターネットを通じて、問い
かけを行うのである。
【０００６】
求職者の中には、自分の力が発揮できるのであれば、火中の栗を拾うこともやぶさかでは
ないと考える者もあるかもしれない、あるいは、近々での就職・転職を望まずも、経営課
題に対して、パズルを解くが如く、課題解決能力を発揮する者が、解答を試みることによ
り経営危機に瀕する企業が、大いなるヒントを得て、経営危機を脱することも、全くない
とは言えない。
【０００７】
あるいは、近々での就職・転職を望まない求職者であっても、求人者が、「課題解決能力
判定用問題」に対する解答に対して、好感触を得、大身での待遇を約束することにより、
早期の就職・転職を促すことも可能になり得ると考えられる。
【０００８】
また、求職者側でも、高い業務遂行能力、高度な問題解決能力を有しながらも、年齢、性別、学歴、職歴、資格等の基準において、選考の対象外とされ、その能力を実社会で生かしきれずにいる者が少なからず存在しているとすれば、社会全体としての損失・不幸が累積している状況にあるとも、考えられなくもない。
【０００９】
尚、求職者が「課題解決能力判定用問題」に対して解答を行う際、本発明では、以下
００１０〜００１２の理由から、解答の文字数を制限するのが、望ましいと考える。
【００１０】
求職者が考える解答の全てを、本マッチングシステムで公開してしまうと、求人者と求
職者の関係が、その場限りのものになってしまう可能性がある。
【００１１】
「課題解決能力判定用問題」の解答に文字数の制限がないと、求人者側が、解答を全て
閲覧するのに、多大な時間を要する可能性がでてくる。
【００１２】
限られた文字数で、相手に何かを伝える能力は、実社会での業務遂行において、かかす
ことのできない能力と考えられる。
【課題を解決するための手段】
【００１３】
この発明に係る求人求職マッチングシステムは、（ａ）求人者が利用する求人者端末と、（ｂ）求職者が利用する求職者端末と、（ｃ）前記求人者端末および前記求職者端末のそれぞれと通信可能に設けられた求人求職マッチングサーバと、を備えた求人求職マッチングシステムであって、
前記求人者端末は、
（ａ１）求人者が課題解決能力を評価するための課題解決能力判定用問題と課題カテゴリーを入力する課題情報入力手段と、
（ａ２）求人者が入力した課題解決能力判定用問題と課題カテゴリーを求人求職マッチングサーバに送信する課題情報送信手段と、
（ａ３）求人者が入力した課題解決能力判定用問題に対して解答された、求職者からの課題解答情報と求人者に対する希望条項を受信し、その内容を閲覧可能にする課題解答閲覧手段と、を備え、
前記求職者端末は、
（ｂ１）求職者が課題カテゴリーを入力する課題カテゴリー入力手段と、
（ｂ２）求職者が入力した課題カテゴリーを求人求職マッチングサーバに送信する課題カテゴリー送信手段と、
（ｂ３）求職者が入力した課題カテゴリーに属する、課題解決判定用問題を受信し、その内容を閲覧可能にする課題情報閲覧手段と、
（ｂ４）求職者が課題解決能力判定用問題に対応する解答と、求人者に対する希望条項を入力する課題解答入力手段と、
（ｂ５）求職者が入力した課題解決能力判定用問題に対応する解答と、求人者に対する希望条項を求人求職マッチングサーバに送信する課題解答送信手段と、を備え、
前記求人求職マッチングサーバは、
（ｃ１）求人者端末から受信した課題解決能力判定用問題と課題カテゴリーを記録部に記録する課題情報記録手段と、
（ｃ２）求職者端末から受信した課題解決能力判定用問題に対応する解答と、求人者に対する希望条項を記録部に記録する課題解答記録手段と、
（ｃ３）求職者端末から受信した課題カテゴリーに属する課題情報を求職者端末に対して、送信する課題一覧送信手段と、
（ｃ４）求人者端末から受信した課題解決能力判定用問題に対応する解答と、求人者に対する希望条項を、求人者端末に対して、送信する解答一覧送信手段と、を備えたことを特徴とする。したがって、求人者は、求人・採用選考活動を、効率よく、行うことができる。
【００１４】
求人求職マッチングサーバの「課題情報記録手段」は、実施形態においては、図５のス
テップ  Ｓ５２１〜Ｓ５２７の機能がこれに該当する。求人求職マッチングサーバ
の「課題解答記録手段」は、実施形態においては、図７のステップ  Ｓ７２７の機能がこれに該当する。求人求職マッチングサーバの「課題一覧送信手段」は、実施形態においては、図７のステップ  Ｓ７２１〜Ｓ７２５の機能がこれに該当する。求人求職マッチングサーバの「解答一覧送信手段」は、実施形態においては、図９のステップＳ９２１〜Ｓ９２５の機能がこれに該当する。
【００１５】
求人者端末ａの「課題情報入力手段」は、実施形態においては、図５のステップ  Ｓ５０７の機能がこれに該当する。「課題情報送信手段」は、実施形態においては、図５のステップ  Ｓ５０９の機能がこれに該当する。「課題解答閲覧手段」は、実施形態においては、図９のステップ  Ｓ９０７〜Ｓ９１１の機能がこれに該当する。
【００１６】
求職者端末ｂの「課題カテゴリー入力手段」は、実施形態においては、図７のステップＳ７０７  の機能がこれに該当する。「課題カテゴリー送信手段」は、実施形態においては、図７のステップ  Ｓ７０９の機能がこれに該当する。「課題情報閲覧手段」は、実施形態においては、図７のステップ  Ｓ７１１の機能がこれに該当する。
「課題解答入力手段」は、実施形態においては、図７のステップ  Ｓ７１３の機能がこれに該当する。「課題解答送信手段」は、実施形態においては、図７のステップ  Ｓ７１５の機能がこれに該当する。
【図面の簡単な説明】
【００１７】
【図１】求人求職マッチングシステムの機能ブロック図である。
【図２】求人求職マッチングサーバのハードウエア構成を示す図である。
【図３】求人者端末のハードウエア構成を示す図である。
【図４】求職者端末のハードウエア構成を示す図である。
【図５】課題情報を記録する場合のフローチャートである。
【図６】課題情報入力画面を示す図である。
【図７】求職者が課題に対する解答を行う場合のフローチャートである。
【図８】課題カテゴリー入力画面を示す図である。
【図９】求人者が課題解答の閲覧を行う場合のフローチャートである。
【図１０】課題解答入力画面を示す図である。
【図１１】課題Ｎｏ入力画面を示す図である。
【図１２】課題解答一覧画面を示す図である。
【図１３】課題情報データベースを示す図である。
【図１４】課題解答データベースを示す図である。
【発明を実施するための形態】
【実施例１】
【００１８】
１−１．概要
図１に、この発明の一実施形態による求人求職マッチングシステムの機能ブロック図を示す。求人者端末ａは、求人を募集する企業などに設置されるコンピュータ装置である。
求職者端末ｂは、求職を行う求職者が所持するコンピュータ装置である。
【００１９】
求人求職マッチングサーバｃ  は、求人求職マッチング処理を実施するウェブサイト等を運営する業者に設置されるコンピュータ装置である。求人者端末ａ、求職者端末ｂおよび  求人求職マッチングサーバｃ  は、それぞれインターネット等のネットワーク０に接続されており、それぞれ通信可能である。
【００２０】
求職者端末ｂは、インターネットを介して、ＵＲＬによって示される求人求職マッチングサーバｃにアクセスする。求職者が求職者端末ｂに課題カテゴリーを入力すると、求職者端末ｂは、当該課題カテゴリーを求人求職マッチングサーバｃに送信する。
送信を受けて求人求職マッチングサーバｃは、前記求職者にかかる課題カテゴリーに合致する課題情報を抽出し、抽出した情報を求職者端末ｂに送信する。
【００２１】
求人者端末ａは、インターネットを介して、ＵＲＬによって示される求人求職マッチングサーバｃにアクセスする。求人者が求人者端末ａに課題情報を入力すると、求人者端末ａは、当該課題情報を求人求職マッチングサーバｃに送信する。送信を受けて求人求職マッチングサーバｃは、前記求人者にかかる課題情報を記録部１に記録する。
【００２２】
１−２．機能ブロック図
求人者端末ａの課題情報入力手段ａ１は、データが入力可能なキーボード等で構成されており、求人者からの課題情報を入力するためのものである。課題情報送信手段ａ２は、求人者によって入力された課題情報を、求人求職マッチングサーバｃに送信するためのものである。課題解答閲覧手段ａ３は、求人者が入力した課題情報に対して解答された、求職者からの課題解答情報と求人者に対する希望条項を受信し、その内容を閲覧可能にするためのものである。
【００２３】
求職者端末ｂの課題カテゴリー入力手段ｂ１は、データが入力可能なキーボード等で構成されており、求職者からの課題カテゴリーを入力するためのものである。課題カテゴリー送信手段ｂ２は、求職者によって入力された課題カテゴリーを、求人求職マッチングサーバｃに送信するためのものである。課題情報閲覧手段ｂ３は、求職者が入力した課題カテゴリーに属する、課題解決判定用問題を受信し、その内容を閲覧可能にするものである。課題解答入力手段ｂ４は、求職者が課題解決能力判定用問題に対応する解答と、求人者に対する希望条項等を入力するするためのものである。
課題解答送信手段ｂ５は、求職者が入力した課題解決能力判定用問題に対応する解答と、
求人者に対する希望条項等を求人求職マッチングサーバに送信するものである。
【００２４】
求人求職マッチングサーバｃの課題情報記録手段ｃ１は、求人者端末ａから受けた課題情報を記録部１に記録するためのものである。課題解答記録手段ｃ２は、求職者端末ｂから受信した課題解決能力判定用問題に対応する解答と、求人者に対する希望条項等を記録部１に記録するためのものである。課題一覧送信手段ｃ３は、求職者端末ｂから受信した課題カテゴリーに属する課題情報を求職者端末に対して、送信するためのものである。解答一覧送信手段ｃ４は、求職者端末ｂから受信した課題解決能力判定用問題に対応する解答と、求人者に対する希望条項等を、求人者端末ａに対して、送信するためのものである。
【００２５】
１−３．ハードウエア構成
１−３−１．求人求職マッチングサーバ
図１に示す求人求職マッチングサーバｃをＣＰＵ  を用いて実現したハードウェア構成の一例を図２に示す。この求人求職マッチングサーバｃは、ディスプレイ２０１、ＣＰＵ２０３、メモリ２０５、キーボード／マウス２０７、ハードディスク２０９、ＣＤ−ＲＯＭドライブ２１１および通信回路２１５を備えている。
【００２６】
ハードディスク２０９には、求人求職マッチングプログラム２０９１が記録されている。求人求職マッチングプログラム２０９１は、求人者端末ａや求職者端末ｂからのデータを受けて、本発明にかかる求人求職マッチング処理を行う。このプログラムは、ＣＤ−ＲＯＭドライブ２１１を介してＣＤ−ＲＯＭ２１２に記録されたプログラムを読み出してインストールしたものである。なお、上記インストールは、通信回路２１５を用いてインターネット等のネットワーク０からダウンロードしたプログラムを使用して行うようにしてもよい。
【００２７】
求人求職マッチングサーバｃを構成する、課題情報記録手段ｃ１、課題解答記録手段ｃ２、課題一覧送信手段ｃ３、および解答一覧送信手段ｃ４は、求人求職マッチングプログラム２０９１  による各機能によって実現される。また、課題情報データベース２０９３および課題解答データベース２０９５は、記録部１によって実現される。
【００２８】
１−３−２．求人者端末
図１に示す求人者端末ａをＣＰＵを用いて実現したハードウェア構成の一例を図３に示す。この求人者端末ａは、ディスプレイ３０１、ＣＰＵ３０３、メモリ３０５、キーボード／マウス３０７、ハードディスク３０９、および通信回路３１５を備えている。
【００２９】
ハードディスク３０９には、ブラウザプログラム３０９１が記録されている。
ブラウザプログラム３０９１は、ネットワーク０を介して求人求職マッチングサーバｃにアクセスし、本発明にかかる求人求職マッチング処理を実現するためのデータを送受信する。
【００３０】
求人者端末ａを構成する、課題情報入力手段ａ１、課題情報送信手段ａ２、課題解答閲覧手段ａ３は、ブラウザプログラム３０９１による各機能によって実現される。
【００３１】
１−３−３．求職者端末
図１に示す求職者端末ｂをＣＰＵ  を用いて実現したハードウェア構成の一例を図４に示す。この求職者端末ｂは、ディスプレイ４０１、ＣＰＵ４０３、メモリ４０５、キーボード／マウス４０７、ハードディスク４０９、および通信回路４１５を備えている。
【００３２】
ハードディスク４０９には、ブラウザプログラム４０９１が記録されている。ブラウザプログラム４０９１  は、ネットワーク０を介して求人求職マッチングサーバｃにアクセスし、本発明にかかる求人求職マッチング処理を実現するためのデータを送受信する。
【００３３】
求職者端末ｂを構成する、課題カテゴリー入力手段ｂ１、課題カテゴリー送信手段ｂ２、課題情報閲覧手段ｂ３、課題解答入力手段ｂ４および課題解答送信手段ｂ５は、ブラウザプログラム４０９１による各機能によって実現される。
【００３４】
１−４．処理詳細
図５〜図１４を用いて、本実施形態における処理詳細を説明する。本実施形態においては、求人者側が、正社員を募集する場合等のように、課題解決能力を選考基準として人材の募集を行う場合について説明する。
【００３５】
１−４−１．課題情報の記録
本実施形態における求人求職マッチングシステムを利用する求人者は、課題解決能力を審査するにふさわしい課題やその課題のカテゴリーを求人求職マッチングサーバｃに記録させておく必要がある。以下に、求人者にかかる課題情報を記録させる場合の処理について説明する。
【００３６】
求人者からの起動操作を受けて、求人者端末ａのＣＰＵ３０３はブラウザプログラム３０９１を起動させる（ステップＳ５０１）。求人者から求人求職マッチングサーバｃの所定ＵＲＬの入力操作を受けて、ＣＰＵ３０３は、インターネットを介して求人求職マッチングサーバｃにアクセスする（ステップＳ５０３、Ｓ５０５）。
【００３７】
求人者端末ａからのアクセスを受けて、求人求職マッチングサーバｃのＣＰＵ２０３は、課題情報入力画面を求人者端末ａに送信する（ステップＳ５２１）。
図６に、求人者端末ａのディスプレイ３０１上に表示される課題情報入力画面６０の例を示す。課題情報入力画面６０には、会社名、課題カテゴリー、課題入力欄６５が表示される。
【００３８】
求人者が課題情報入力画面６０の入力欄６５に所定の課題情報を入力して送信ボタン６７を押下すると、ＣＰＵ３０３は、入力された課題情報を求人求職マッチングサーバｃに送信する（ステップＳ５０７、Ｓ５０９）。例えば、図６に示す課題情報入力画面６０においては、入力欄６５に入力された、会社名「○△商事」、課題カテゴリー「販路開拓」、課題「南アジア地区での営業拠点を・・・」、等が送信される。
【００３９】
課題情報の送信を受けて、求人求職マッチングサーバｃのＣＰＵ２０３  は、課題情報データベース２０９３に前記課題情報を記録する（ステップＳ５２５）。図１３に、課題情報データベース２０９３の例を示す。このデータベースには、課題Ｎｏ１３１、会社名１３２、課題カテゴリー１３３、課題１３４、等のデータが記録される。
例えば、図６に示した課題情報入力画面６０の入力欄６５  入力された課題情報は、レコード１３０１として記録される。ここで、課題Ｎｏ１３１とは、課題情報データベースに課題情報が登録される度に決定される、重複することのない、連続した番号で、各課題情報固有の番号となり、この課題Ｎｏは、課題情報を記録した後に、求人者端末ａに送信され（ステップＳ５２７）、求人者端末ａにて確認が可能となる（ステップＳ５２７）。
【００４０】
上記においては、会社名「○△商事」にかかる求人者の求人者端末ａからの課題情報を記録する例について説明したが、他の求人者の有する各求人者端末ａからの課題情報も同様に記録される。例えば、ユーザ名「□△工業」、および「×○産業」にかかる求人者の求人者端末ａからの課題情報は、それぞれレコード１３０２、１３０３として記録される。
【００４１】
課題情報の取得
本実施形態における求人求職マッチングシステムを利用する求職者は、求職者が閲覧したい課題に属すると思われる課題カテゴリーを入力することにより、その課題カテゴリーに属する課題を抽出し、求職者端末ｂに表示させ、表示された課題に対する解答を入力・
送信して、その内容を求人者に、知らせることにより、求職者の課題解決能力を求人者に
アピールすることができる。このような求人募集を行わせる場合の処理について説明する。
【００４２】
求職者からの起動操作を受けて、求職者端末ｂのＣＰＵ４０３はブラウザプログラム４０９１を起動させる（ステップＳ７０１）。求職者から求人求職マッチングサーバｃの所定ＵＲＬの入力操作を受けて、ＣＰＵ４０３は、インターネットを介して求人求職マッチングサーバｃにアクセスする（ステップＳ７０３、Ｓ７０５）。
【００４３】
求職者端末ｂからのアクセスを受けて、求人求職マッチングサーバｃのＣＰＵ２０３は、課題カテゴリー入力画面を求職者端末ｂに送信する（ステップＳ７２１）。図８に、求職者端末ｂのディスプレイ４０１上に表示される課題カテゴリー入力画面８０の例を示す。課題カテゴリー入力画面８０には、課題カテゴリーの入力欄８５が表示される。
【００４４】
求職者が課題カテゴリー入力画面８０の入力欄８５に課題カテゴリーを入力して送信ボタン８７を押下すると、ＣＰＵ４０３は、入力された課題カテゴリーを求人求職マッチングサーバｃに送信する（ステップＳ７０７、Ｓ７０９）。例えば、図８に示す課題カテゴリー入力画面８０においては、入力欄８５に入力された、課題カテゴリー「販路開拓」、が送信される。
【００４５】
課題カテゴリーの送信を受けて、求人求職マッチングサーバｃのＣＰＵ２０３は、課題情報データベース２０９３を検索し、課題カテゴリーにマッチする課題情報を抽出する（ステップＳ７２３）。例えば、送信された課題カテゴリーが「販路開拓」である場合、課題情報レコードの１３０１（課題Ｎｏ「１１０」）、１３０２（課題Ｎｏ「１１２」）を抽出する。課題情報レコードの１３０１（課題Ｎｏ「１１０」）、１３０２（課題Ｎｏ「１１２」）は、課題カテゴリーが「販路開拓」だからである。
【００４６】
求職者端末への課題情報の送信
上記において抽出処理を終えると、ＣＰＵ２０３は、抽出されたデータをもとに編集される課題解答入力画面を求職者端末ｂに送信する（ステップＳ７２５）。図１０に、求職者端末ｂのディスプレイ４０１上に表示される課題情報入力画面１００の例を示す。課題情報入力画面１００には、００４４で抽出された課題情報レコードの課題Ｎｏ、課題カテゴリー、課題、と前記課題に対する課題解答入力欄、と求人者への希望条項、名前、住所、電話、Ｅ−Ｍａｉｌの入力欄１０５が表示される。
【００４７】
求職者が課題情報入力画面１００の入力欄１０５に所定の課題に対する、課題解答情報（選択入力を可能とする）と求人者への希望条項と求職者に関する情報を入力して送信ボタン１０７を押下すると、ＣＰＵ４０３は、選択入力された課題解答と、選択入力された課題解答に対応する課題Ｎｏと、求人者への希望条項と、求職者に関する情報と、を求人求職マッチングサーバｃに送信する（ステップＳ７１３、Ｓ７１５）。例えば、図６に示す課題解答入力画面１００  においては、入力欄１０５に入力された、課題解答「バンガルール市を選定します。・・・」、と、課題Ｎｏ「１１０」、と、希望条項「正社員」、名前「山田○男」、住所「山形市・・・」、電話「0235-99-9999」、E-Mail「xx@yy-zz.com」等が送信される。
【００４８】
課題解答情報の送信を受けて、求人求職マッチングサーバｃのＣＰＵ２０３は、課題解答データベース２０９５に前記課題解答情報を記録する（ステップＳ７２７）。図１４、課題解答データベース２０９５の例を示す。
このデータベースには、課題Ｎｏ１４１、課題解答１４２、希望条項１４３、名前４４、住所１４５、電話１４６、Ｅ−Ｍａｉｌ１４７、記録日時１４８、等のデータが記録され
る。
例えば、図１０に示した課題情報入力画面１００  の入力欄１０５に入力された課題解答情報は、レコード１４０１として記録される。
【００４９】
課題解答情報の取得
本実施形態における求人求職マッチングシステムを利用する求人者は、求人者が登録した課題に対応する課題Ｎｏを入力することにより、その課題に対する求職者からの課題解答情報を閲覧して、求人者の意に適う課題解答があれば、その課題解答に付随する求職者の情報（電話、Ｅ−Ｍａｉｌ等）から、求職者に対してアプローチを行うことにより、求人活動が可能になる。このような求人募集を行わせる場合の処理について説明する。
【００５０】
求人者からの起動操作を受けて、求人者端末ａのＣＰＵ３０３はブラウザプログラム３０９１を起動させる（ステップＳ９０１）。求人者から求人求職マッチングサーバｃの所定ＵＲＬの入力操作を受けて、ＣＰＵ３０３は、インターネットを介して求人求職マッチングサーバｃにアクセスする（ステップＳ９０３、Ｓ９０５）。
【００５１】
求人者端末ａからのアクセスを受けて、求人求職マッチングサーバｃのＣＰＵ２０３は、課題Ｎｏ入力画面を求人者端末ａに送信する（ステップＳ９２１）。図１１に、求人者端末ａのディスプレイ３０１上に表示される課題Ｎｏ入力画面１１０の例を示す。課題Ｎｏ入力画面１１０には、課題Ｎｏの入力欄１１５が表示される。  
【００５２】
求人者が課題Ｎｏ入力画面１１０の入力欄１１５に課題Ｎｏを入力して送信ボタン１７を押下すると、ＣＰＵ３０３は、入力された課題Ｎｏを求人求職マッチングサーバｃに送信する（ステップＳ９０７、Ｓ９０９）。例えば、図１１に示す課題Ｎｏ入力画面１１０においては、入力欄１１５に入力された、課題Ｎｏ「１１０」、が送信される。
【００５３】
課題Ｎｏの送信を受けて、求人求職マッチングサーバｃのＣＰＵ２０３は、課題解答データベース２０９５を検索し、課題Ｎｏにマッチする課題解答情報を抽出する（ステップＳ９２３）。例えば、送信された課題Ｎｏが「１１０」である場合、課題解答レコードの１４０１（課題Ｎｏ「１１０」）、１４０２（課題Ｎｏ「１１０」）を抽出する。
課題解答レコードの１４０１（課題Ｎｏ「１１０」）、１４０２（課題Ｎｏ「１１０」）
は、課題Ｎｏが「１１０」だからである。また、課題Ｎｏに対応する課題と会社名を取得
するために、課題情報データベース２０９３を検索し、課題Ｎｏにマッチする会社名、課題を読み出す。例えば、送信された課題Ｎｏが「１１０」である場合、課題情報レコードの１３０１の会社名「○△商事」と課題「南アジア地区の・・・」が読み出される。
【００５４】
求人者端末への課題解答情報の送信
上記において抽出処理を終えると、ＣＰＵ２０３は、抽出されたデータをもとに編集される課題解答一覧画面を求人者端末ｂに送信する（ステップＳ９２５）。
図１２に、求人者端末ａのディスプレイ３０１上に表示される課題解答一覧画面１２０の例を示す。課題解答一覧画面１２０には、（００５２）で抽出された課題解答レコードの課題解答、と希望条項、名前、住所、電話、Ｅ−Ｍａｉｌ、と、（００５２）で抽出された課題情報レコードの会社名、課題と、が表示される。
【００５５】
求人者は、前記、課題解答一覧画面１２０を閲覧し、意に適う解答があれば、その課題解
答に対する解答者（求職者）の希望条項、名前、住所、電話、Ｅ−Ｍａｉｌを参照して、求人活動を実施することができる。
【符号の説明】
【００５６】
ａ求人者端末
ｂ求職者端末
ｃ求人求職マッチングサーバ
【図１】
2012069047.tif 000003
【図２】
2012069047.tif 000004
【図３】
2012069047.tif 000005
【図４】
2012069047.tif 000006
【図５】
2012069047.tif 000007
【図６】
2012069047.tif 000008
【図７】
2012069047.tif 000009
【図８】
2012069047.tif 000010
【図９】
2012069047.tif 000011
【図１０】
2012069047.tif 000012
【図１１】
2012069047.tif 000013
【図１２】
2012069047.tif 000014
【図１３】
2012069047.tif 000015
【図１４】
2012069047.tif 000016